(57)【特許請求の範囲】
【請求項１】
硫化水素および二酸化炭素を含む天然ガスに二酸化炭素および水蒸気をそれぞれ添加し、この天然ガスを含むガスを改質器の反応管に供給して主に水蒸気改質反応させて水素および一酸化炭素を含む合成ガスを製造するにあたり、
前記天然ガスに二酸化炭素および水蒸気を添加する前に硫化水素吸着材が充填された硫化水素除去装置を流通させて硫化水素のみを選択的に除去し、
前記天然ガスは、前記硫化水素除去装置に供給される前に、前記改質器の燃焼輻射部と連通される対流部を経由して前記硫化水素除去装置で天然ガス中の硫化水素の除去に適した温度に加熱されることを特徴とする合成ガスの製造方法。
【請求項２】
前記二酸化炭素は、前記改質器の燃焼輻射部で発生した燃焼排ガスから回収した二酸化炭素が用いられることを特徴とする請求項１に記載の合成ガスの製造方法。
【請求項３】
前記二酸化炭素は、前記改質器の下流側において合成ガス中から回収した二酸化炭素が用いられることを特徴とする請求項１に記載の合成ガスの製造方法。
【請求項４】
前記硫化水素吸着材は、四三酸化鉄（Ｆｅ3Ｏ4）および酸化亜鉛（ＺｎＯ）から選ばれる少なくとも１つの酸化物であることを特徴とする請求項１ないし３のいずれか１項に記載の合成ガスの製造方法。
【請求項５】
前記硫化水素除去装置は、硫化水素吸着材である四三酸化鉄が充填された少なくとも１つの第１脱硫塔と硫化水素吸着材である酸化亜鉛が充填された第２脱硫塔を備え、前記硫化水素および二酸化炭素を含む天然ガスを前記第１，第２の脱硫塔に順次流通させることを特徴とする請求項１に記載の合成ガスの製造方法。
【請求項６】
前記硫化水素除去装置は、四三酸化鉄が充填される少なくとも３つの第１脱硫塔を備え、これら第１脱硫塔のうち１つ目の第１脱硫塔で硫化水素の吸着操作がなされ、２つ目の第１脱硫塔で硫化水素が吸着された吸着材（硫化鉄）の再生操作がなされ、３つ目の第１脱硫塔で再生後の吸着材の還元操作がなされるとともに、これら操作がシーケンシャルに行われることを特徴とする請求項５に記載の合成ガスの製造方法。
【発明の詳細な説明】
【０００１】
【発明の属する技術分野】
本発明は、ＧＴＬ（Gas to Liquid）プロセスによるガソリンなどの合成、メタノールの合成またはジメチルエーテルの合成等に用いられる合成ガスの製造方法に関する。
【０００２】
【従来の技術】
水素（Ｈ2）と一酸化炭素（ＣＯ）を含む合成ガスは、例えばフィッシャ・トロプシュ（ＦＴ）反応系でのＧＴＬ（Gas to Liquid）プロセスによりガソリン等を合成する時の原料として用いられている。
【０００３】
前記合成ガスは、原料である天然ガスに水蒸気および二酸化炭素を添加し、この混合ガスを改質器の所定温度に加熱された反応管に供給し、前記天然ガスを二酸化炭素とともに水蒸気改質することにより水素（Ｈ2）と一酸化炭素（ＣＯ）を含む合成ガスを製造する方法により製造されている。
【０００４】
ところで、前記天然ガスはその産出地によって硫化水素（Ｈ2Ｓ）および二酸化炭素を含む（例えばＣＯ2；７．１体積％、Ｈ2Ｓ；０．６体積％）場合がある。このような天然ガスを原料とする場合、この天然ガスに水蒸気や二酸化炭素を添加する前に硫化水素を除去することが行われている。この硫化水素を天然ガスから除去するには、従来、アミン吸収法により行われている。
【０００５】
しかしながら、前記アミン吸収法で硫化水素をｐｐｍのレベルまで除去すると、天然ガス中の二酸化炭素をも除去される。その結果、天然ガス中に元々含まれる二酸化炭素を有効に利用できないため、天然ガスを前記改質器の反応管に供給する手前で多量の二酸化炭素をこの天然ガスに添加することが必要になり、合成ガスの製造コストが高くなる。
【０００６】
【発明が解決しようとする課題】
本発明は、硫化水素および二酸化炭素を含む天然ガスを原料として用いて改質器で合成する際、前記硫化水素のみを選択的に除去して天然ガス中の二酸化炭素を有効に利用して、改質器手前で前記天然ガスに添加する二酸化炭素の量を削減することが可能な合成ガスの製造方法を提供しようとするものである。
【０００７】
【課題を解決するための手段】
本発明に係る合成ガスの製造方法は、硫化水素および二酸化炭素を含む天然ガスに二酸化炭素および水蒸気をそれぞれ添加し、この天然ガスを含むガスを改質器の反応管に供給して主に水蒸気改質反応させて水素および一酸化炭素を含む合成ガスを製造するにあたり、前記天然ガスに二酸化炭素および水蒸気を添加する前に硫化水素吸着材が充填された硫化水素除去装置を流通させて硫化水素のみを選択的に除去し、前記天然ガスは、前記硫化水素除去装置に供給される前に、前記改質器の燃焼輻射部と連通される対流部を経由して前記硫化水素除去装置で天然ガス中の硫化水素の除去に適した温度に加熱されることを特徴とするものである。
【０００９】
本発明に係る合成ガスの製造方法において、前記二酸化炭素として前記改質器の燃焼輻射部で発生した燃焼排ガスから回収した二酸化炭素を用いることを許容する。
【００１０】
本発明に係る合成ガスの製造方法において、前記二酸化炭素として前記改質器の下流側において合成ガス中から回収した二酸化炭素を用いることを許容する。
【００１１】
本発明に係る合成ガスの製造方法において、前記硫化水素吸着材は四三酸化鉄（Ｆｅ3Ｏ4）および酸化亜鉛（ＺｎＯ）から選ばれる少なくとも１つの酸化物であることが好ましい。
【００１２】
本発明に係る合成ガスの製造方法において、前記硫化水素除去装置は硫化水素吸着材である四三酸化鉄が充填された少なくとも１つの第１脱硫塔と硫化水素吸着材である酸化亜鉛が充填された第２脱硫塔を備え、前記硫化水素および二酸化炭素を含む天然ガスを前記第１，第２の脱硫塔に順次流通させることが好ましい。このような四三酸化鉄が充填される第１脱硫塔を少なくとも３つ備えた硫化水素除去装置において、これら第１脱硫塔のうち１つ目の第１脱硫塔で硫化水素の吸着操作がなされ、２つ目の第１脱硫塔で硫化水素が吸着された吸着材（硫化鉄）の再生操作がなされ、３つ目の第１脱硫塔で再生後の吸着材の還元操作がなされるとともに、これら操作がシーケンシャルに行われることが好ましい。
【００１３】
【発明の実施の形態】
以下、本発明に係る合成ガス（例えばガソリン、灯油および軽油合成用合成ガス）の製造方法を図面を参照して詳細に説明する。
【００１４】
図１は、この実施形態に係る合成ガスの製造に用いられるガソリン、灯油および軽油の合成プラントの要部を示す概略図である。
【００１５】
改質器１０は、水蒸気改質用反応管１１と、この反応管１１の周囲に配置され、燃料を燃焼させて前記反応管を加熱するための燃焼輻射部１２と、この燃焼輻射部１２に対流部（廃熱回収部）１３を介して連通された煙突１４とを備えている。前記反応管１１内には、例えばニッケル系触媒が充填されている。燃料導入用流路２０1は、前記改質器１０の燃焼輻射部１２に接続されている。
【００１６】
天然ガス導入用流路２０2は、前記改質器１０の対流部１３を経由して硫化水素除去装置３０に接続されている。この硫化水素除去装置３０は、図２に示すように硫化水素吸着材、例えば四三酸化鉄（Ｆｅ3Ｏ4）粒子が充填された３つの第１脱硫塔３１1〜３１3を備えている。前記天然ガス導入用流路２０2から分岐された３つの天然ガス導入用分岐流路３２1〜３２3は、前記第１脱硫塔３１1〜３１3の上部にそれぞれ接続されている。天然ガス入口開閉弁３３1〜３３3は、前記天然ガス導入用分岐流路３２1〜３２3にそれぞれ介装されている。前記第１脱硫塔３１1〜３１3の底部は、それぞれ天然ガス排出用分岐流路３４1〜３４3およびこれらの天然ガス排出用分岐流路３４1〜３４3が合流される流路３５を経由して硫化水素吸着材としての酸化亜鉛粒子が充填された１つの第２脱硫塔３６の上部に接続されている。この第２脱硫塔３６の底部は、後述する原料ガス導入用流路２０3に接続されている。天然ガス出口開閉弁３７1〜３７3は、前記天然ガス排出用分岐流路３４1〜３４3にそれぞれ介装されている。
【００１７】
硫黄回収器３８は、流路３９1を通して循環ガスブロア４０に接続されている。この循環ガスブロア４０は、流路３９2を通して予熱器４１に接続されている。空気は、循環ガスブロア４０近傍の流路３９3を通して供給される。前記流路３９2には、循環ガスブロア４０からの空気が混合されたガスを後述する再生工程の第１脱硫塔から排出される加熱亜硫酸ガスと熱交換するためのガス−ガス熱交換器４２が介装されている。前記予熱器４１は、流路３９4およびこの流路３９4から分岐された３つの分岐流路４３1〜４３3を通して前記第１脱硫塔３１1〜３１3の底部付近にそれぞれ接続されている。空気含有ガス入口開閉弁４４1〜４４3は、前記分岐流路４３1〜４３3にそれぞれ介装されている。前記第１脱硫塔３１1〜３１3の上部は、亜硫酸ガス排出分岐流路４５1〜４５3およびこれらの流路４５1〜４５3が合流した流路３９5を通して前記硫黄回収器３８に接続されている。亜硫酸ガス出口開閉弁４６1〜４６3は、前記分岐流路４５1〜４５3にそれぞれ介装されている。前記流路３９5には、前述したガス−ガス熱交換器４２が介装されている。
【００１８】
還元ガス導入流路４７は、途中で３の分岐流路４８1〜４８3に分岐され、これら分岐流路４８1〜４８3は前記第１脱硫塔３１1〜３１3の上部付近にそれぞれ接続されている。還元ガス開閉弁４９1〜４９3は、前記分岐流路４８1〜４８3にそれぞれ介装されている。
【００１９】
前述した構成の硫化水素除去装置３０は、前記対流部１３を経由する原料ガス導入用流路２０3を通して前記反応管１１の上端に接続されている。水蒸気（スチーム）導入用流路２０4は、前記硫化水素除去装置３０の下流側で、前記対流部１３の上流側に位置する原料ガス導入用流路２０3に接続されている。
【００２０】
第１の二酸化炭素回収装置５１1は、前記改質器１０の対流部１３に設けられ、前記対流部１３の燃焼排ガス中の二酸化炭素を回収する。この第１の二酸化炭素回収装置５１1は、流路２０5を経由して圧縮機５２に接続されている。この圧縮機５２は、流路２０6を経由して前記硫化水素除去装置３０の下流側で、前記対流部１３の上流側に位置する前記原料ガス導入用流路２０3に接続されている。
【００２１】
合成ガス流通用流路２０7は、一端が前記改質器１０の反応管１１下端に接続され、他端が例えばコバルト系触媒が充填されたフィッシャ・トロプシュ（ＦＴ）反応系５３に接続されている。なお、このＦＴ反応系５３に充填される触媒はコバルト系触媒に限らず、例えば鉄系触媒を用いることができる。熱交換器５４および第２の二酸化炭素回収装置５１2は、前記合成ガス流通用流路２０7に前記改質器１０側から順次介装されている。前記熱交換器５４は、流路２０8が交差され、この流路２０8を流通する例えばボイラ水を加熱して高圧の水蒸気（スチーム）を発生する。前記第２の二酸化炭素回収装置５１2は、前記圧縮機５２に流路２０9を経由して接続されている。なお、例えばボイラ水が流通される流路２０10は前記改質器１０の対流部１３に交差してその対流部１３の燃焼排ガスと前記ボイラ水とが熱交換され、燃焼排ガスを冷却するとともにボイラ水自身が加熱されて高圧の水蒸気（スチーム）が生成される。
【００２２】
次に、前述した図１および図２に示す合成プラントを参照して合成ガスの製造方法を説明する。
【００２３】
まず、燃焼用燃料は燃料導入用流路２０1を通して改質器１０の燃焼輻射部１２に供給され、ここで空気とともに燃焼されて反応管１１内を十分に高い温度（例えば８５０〜９００℃）に加熱する。前記反応管１１を加熱するのは、前記改質器１０での改質反応が吸熱反応であるためである。この燃焼輻射部１２で発生した二酸化炭素を含む燃焼排ガスは、対流部１３を経由して煙突１４に至る。前記燃焼排ガスは、前記対流部１３を通過する間に天然ガス導入用流路２０2内を流通する天然ガス、原料ガス導入用流路２０3内を流通する二酸化炭素および水蒸気が添加された天然ガスおよび流路２０10内を流通するボイラ水と熱交換されて冷却される。冷却された燃焼排ガス中の二酸化炭素は、第１の二酸化炭素回収装置５１1で回収され、流路２０5を経由して圧縮機５２に供給される。二酸化炭素が除去された冷却燃焼排ガスは、前記煙突１４から大気に放出される。
【００２４】
硫化水素および二酸化炭素を含み、メタンを主成分とする天然ガスは、天然ガス導入用流路２０2に供給され、この流路２０2内を流通して前記改質器１０の対流部１３を通過する間に前記硫化水素と後述する硫化水素吸着材である四三酸化鉄（Ｆｅ3Ｏ4）との反応に適した温度（例えば４００℃）に加熱される。加熱された天然ガスは、硫化水素除去装置３０に供給される。この硫化水素除去装置３０において、天然ガス導入用分岐流路３２1に介装された天然ガス入口開閉弁３３1および天然ガス排出用分岐流路３４1に介装された天然ガス出口開閉弁３７1をそれぞれ開くことにより、前記加熱された天然ガスは四三酸化鉄（Ｆｅ3Ｏ4）粒子が充填された第１脱硫塔３１1（図２の左側に配置）のみに導入され、ここで前記天然ガス中の硫化水素（Ｈ2Ｓ）は前記四三酸化鉄（Ｆｅ3Ｏ4）粒子と前記加熱温度（４００℃）の下で、下記式（１）に従って反応して前記天然ガス中の硫化水素の大部分が除去される。
【００２５】
Ｆｅ3Ｏ4＋３Ｈ2Ｓ→３ＦｅＳ＋３Ｈ2Ｏ      …（１）
前記第１脱硫塔３１1を流通した後の天然ガスは、前記天然ガス排出用分岐流路３４1および流路３５を通して酸化亜鉛（ＺｎＯ）粒子が充填された第２脱硫塔３６に供給され、ここで前記天然ガス中に残留する硫化水素は前記酸化亜鉛（ＺｎＯ）粒子と下記式（２）に従って反応して前記天然ガス中の硫化水素が除去される。
【００２６】
ＺｎＯ＋Ｈ2Ｓ→ＺｎＳ＋Ｈ2Ｏ                …（２）
前述した硫化水素および二酸化炭素を含む天然ガスを四三酸化鉄（Ｆｅ3Ｏ4）粒子が充填された第１脱硫塔３１1および酸化亜鉛（ＺｎＯ）粒子が充填された第２脱硫塔３６を流通する過程で、従来のアミン吸収法のように天然ガス中の二酸化炭素をも除去されることなく、硫化水素のみがｐｐｍオーダまで除去される。
【００２７】
なお、天然ガスを３つの第１脱硫塔３１1〜３１3のうち、図２の左側に配置された第１脱硫塔３１1で前記天然ガス中の硫化水素を除去し、そこに充填された四三酸化鉄（Ｆｅ3Ｏ4）粒子による脱硫性能が低下した場合には、天然ガスの供給を図２の中央の第１脱硫塔３１2、図２の右側の第１脱硫塔３１3に順次切り替えて天然ガス中の硫化水素を除去する。
【００２８】
このような脱硫操作により脱硫性能が低下した第１脱硫塔（例えば図２の中央の第１脱硫塔３１2）においては、次のような再生処理がなされる。すなわち、分岐流路４３2に介装された空気含有ガス入口開閉弁４４2および亜硫酸ガス排出分岐流路４５2に介装された亜硫酸ガス出口開閉弁４６2をそれぞれ開いた後、循環ガスブロア４０を作動して硫黄回収器３８で分離されたガス（主に窒素）を流路３９1，３９2を通してガス−ガス熱交換器４２に導入すると共に、流路３９3を通して空気を前記流路３９2に供給し補充する。前記ガス−ガス熱交換器４２で後述する加熱された亜硫酸ガスと熱交換された主に空気からなるガスは、流路３９4および前記分岐流路４３2を通して前記第１脱硫塔３１2の下部に供給される。主に空気からなるガスが前記流路３９4を流通する過程で、その流路３９4に介装された予熱器４１により後述する硫化鉄（ＦｅＳ）の再生に適した温度（例えば６００℃）に加熱される。加熱された主に空気からなるガスが前記第１脱硫塔３１2に供給されると、前記式（１）に示すように前記脱硫操作で生成された硫化鉄（ＦｅＳ）が下記式（３）に示すように酸素と反応して二三酸化鉄（Ｆｅ2Ｏ3）と亜硫酸ガス（ＳＯ2）が生成されて再生がなされる。
【００２９】
４ＦｅＳ＋７Ｏ2→２Ｆｅ2Ｏ3＋４ＳＯ2      …（３）
前記第１脱硫塔３１2で発生した亜硫酸ガスは、亜硫酸ガス排出分岐流路４５2および流路３９5を通して前記硫黄回収器３８に送られる。亜硫酸ガスは、流路３９5を流通する過程で、ここに介装されたガス−ガス熱交換器４２で前記主に空気からなるガスと熱交換して冷却される。冷却された亜硫酸ガスは、前記硫黄回収器３８で硫黄が回収される。
【００３０】
また、前記再生処理がなされた硫化水素吸着材を充填した第１脱硫塔（例えば図２の右側の第１脱硫塔３１3）においては、次のような還元処理がなされる。すなわち、分岐流路４８3に介装された還元ガス開閉弁４９3を開いた後、還元ガス（例えば水素）を還元ガス導入流路４７および前記分岐流路４８3を通して前記第１脱硫塔３１3の上部に供給する。水素が前記第１脱硫塔３１3に供給されると、前記（３）式に示すように再生操作で生成された二三酸化鉄（Ｆｅ2Ｏ3）が下記式（４）に示すように水素と反応して脱硫に用いられる四三酸化鉄（Ｆｅ3Ｏ4）と水（Ｈ2Ｏ）が生成される。生成された水は、天然ガス排出用分岐流路３４3から図示しない流路を通して脱硫操作がなされる第１脱硫塔（例えば図２の左側の第１脱硫塔３１1）に送られる。
【００３１】
３Ｆｅ2Ｏ3＋Ｈ2→２Ｆｅ3Ｏ4＋Ｈ2Ｏ      …（４）
前述した脱硫操作、再生操作および還元操作は、脱硫を円滑に行うために、同時並行的になされる。
【００３２】
次いで、硫化水素が除去された天然ガスは、原料ガス導入用流路２０3に供給される。この時、前記圧縮機５２で昇圧された二酸化炭素は流路２０6を経由して前記天然ガスに所定量添加される。また、水蒸気（スチーム）は水蒸気導入用流路２０4を通して前記天然ガスに所定量添加される。なお、この水蒸気は熱交換器５４でボイラ水を合成ガスと熱交換することにより生成された水蒸気、および改質器１０の対流部１３でボイラ水を燃焼排ガスと熱交換することにより生成された水蒸気が利用される。
【００３３】
二酸化炭素および水蒸気が添加された天然ガスは、前記原料ガス導入用流路２０3内を流通し、前記改質器１０の対流部１３を通過する間に加熱（予備加熱）され、その後前記反応管１１に供給される。前記改質器１０の反応管１１に供給されたメタン（ＣＨ4）を主成分とする天然ガス、水蒸気および二酸化炭素は、その反応管１１内の触媒の存在下でメタンが主に水蒸気改質され、下記数１に示す式（５）、（６）に従って水素、一酸化炭素および二酸化炭素を含む合成ガスに転換される。
【００３４】
【数１】
0004533515.tif 000002
【００３５】
前記改質反応の式（５），（６）において、メタン１モルと水蒸気２モルの反応で水素４モル、二酸化炭素１モルが生成される。ただし、実際の反応系では改質器出口の温度、圧力から決まる化学反応平衡組成に近い組成が得られる。このため、前記天然ガスに水蒸気および二酸化炭素を添加する際、モル比で前記天然ガス中のメタン（ＣＨ4）：水蒸気（Ｈ2Ｏ）＝１：１．５〜１：３、メタン（ＣＨ4）：二酸化炭素（ＣＯ2）＝１：１〜１：３に設定することによって、モル比でＨ2／ＣＯが１〜２．５の組成を有する合成ガスが製造される。
【００３６】
得られた合成ガスは、合成ガス流通用流路２０7を経由して熱交換器５４に供給され、ここで流路２０8を流通するボイラ水を加熱し、高圧の水蒸気を発生させるとともに、それ自体が冷却された後、第２の二酸化炭素回収装置５１2に供給される。ここで、前記合成ガス中の二酸化炭素が回収され、かつ同時に生成された水は流路２０11を通して系外に排出される。回収された二酸化炭素は、流路２０9を経由して前記圧縮機５２に送られ、前記第１の二酸化炭素回収装置５１1で回収された二酸化炭素とともに昇圧され、前記流路２０6を経由して前記原料ガス導入用流路２０3内の天然ガスに添加される。
【００３７】
二酸化炭素が除去された合成ガスは、前記流路２０7を経由して例えばコバルト触媒が充填されたフィッシャ・トロプシュ（ＦＴ）反応系５３に供給され、ここで前記合成ガス中の水素と一酸化炭素が反応してガソリン、灯油および軽油が合成される。
【００３８】
以上、実施形態によれば硫化水素および二酸化炭素を含む天然ガスを二酸化炭素および水蒸気を添加する前に硫化水素吸着材が充填された硫化水素除去装置３０を流通させてアミン吸収法のように硫化水素の他に二酸化炭素が除去されることなく、硫化水素のみを選択的に除去することによって、天然ガス中の二酸化炭素を有効に利用して、改質器手前で前記天然ガスに添加する二酸化炭素の量を削減することができる。その結果、合成ガスの製造コストを低減することができる。
【００３９】
特に、硫化水素および二酸化炭素を含む天然ガスを硫化水素除去装置３０に供給する前に、改質器１０の対流部１３を通過する天然ガス導入用流路２０2内を流通させて前記硫化水素除去装置３０での天然ガス中の硫化水素の除去に適した温度に加熱することによって、硫化水素除去のための燃料の使用を削減することができる。
【００４０】
また、硫化水素および二酸化炭素を含む天然ガスを図２の硫化水素除去装置３０に示すように四三酸化鉄（Ｆｅ3Ｏ4）粒子が充填された第１脱硫塔（例えば図２の左側の第１脱硫塔３１1）および酸化亜鉛（ＺｎＯ）粒子が充填された第２脱硫塔３６を流通させることによって、硫化水素のみをｐｐｍオーダまで除去することができる。
【００４１】
事実、ＣＨ4；８６．５体積％，Ｃ2Ｈ6；１．８体積％，Ｎ2；４．０体積％，ＣＯ2；７．１体積％，Ｈ2Ｓ；０．６体積％の組成の天然ガスを図２に示す硫化水素除去装置３０の四三酸化鉄（Ｆｅ3Ｏ4）粒子が充填された第１脱硫塔（例えば図２の左側の第１脱硫塔３１1）および酸化亜鉛（ＺｎＯ）粒子が充填された第２脱硫塔３６を流通させることによって、ＣＨ4；８７．０体積％，Ｃ2Ｈ6；１．８体積％，Ｎ2；４．１体積％，ＣＯ2；７．１体積％，Ｈ2Ｓ；１ｐｐ以下の組成を有し、二酸化炭素がほぼ全量残留すると共に、硫化水素のみがほぼ除去された天然ガスを得ることができた。
【００４２】
さらに、図２の硫化水素除去装置３０に示すように四三酸化鉄（Ｆｅ3Ｏ4）粒子が充填された３つの第１脱硫塔３１1〜３１3を並置して、１つ目の脱硫塔で硫化水素の吸着操作を行い、２つ目の脱硫塔で硫化水素が吸着された吸着材の再生操作を行い、３つ目の脱硫塔で再生後の吸着材の還元操作を行うとともに、これら操作をシーケンシャルに行なうことによって、硫化水素の除去操作をより円滑かつ効率的に行うことができる。
【００４３】
このような操作で硫化水素が除去された天然ガスに二酸化炭素および水蒸気を添加し、この天然ガスを改質器１０の反応管１１で水蒸気改質することによって、Ｈ2／ＣＯのモル比が１〜２．５の合成ガスを製造することができる。このようなＨ2／ＣＯのモル比を有する合成ガスを例えばコバルト触媒が充填されたフィッシャ・トロプシュ（ＦＴ）反応系５３に供給して前記合成ガス中の水素と一酸化炭素を反応させることによって、ガソリン、灯油および軽油を高い収率で合成することができる。
【００４４】
なお、前記実施形態では天然ガスに添加される二酸化炭素として燃焼輻射部で生成した燃焼排ガスおよび合成ガスから回収したものを用いたが、これに限定されない。例えば、ボイラー等で発生した燃焼排ガスから回収した二酸化炭素、または他の工場等で廃棄していた二酸化炭素を用いることもできる。すなわち、従来工場等から廃棄していた二酸化炭素を、本発明によるメタノール製造方法の原料として有効活用することにより、大気に排出する二酸化炭素の量を低減でき、地球温暖化の防止に寄与できる。
【００４５】
前記実施形態では、改質器等で製造した合成ガスをフィッシャ・トロプシュ反応系に導入してガソリン等を合成する例を説明したが、改質器等で製造した合成ガスをメタノールの合成またはジメチルエーテルの合成にも同様に適用することができる。
【００４６】
【発明の効果】
以上詳述したように本発明によれば、硫化水素および二酸化炭素を含む天然ガスを原料として用いて改質器で合成する際、前記硫化水素のみを選択的に除去して天然ガス中の二酸化炭素を有効に利用して、改質器手前で前記天然ガスに添加する二酸化炭素の量を削減することができ、フィッシャ・トロプシュ反応系でガソリン、灯油および軽油を合成、メタノールの合成またはジメチルエーテルの合成等に有用な合成ガスを安価に製造し得る方法を提供できる。
【図面の簡単な説明】
【図１】本発明の実施形態に用いられるガソリン、灯油および軽油の合成プラントにおける合成ガス製造の要部を示す概略図。
【図２】図１の合成プラントに組み込まれる硫化水素除去装置を示す概略図。
【符号の説明】
１０…改質器、
１１…反応管、
１２…燃焼輻射部、
１３…対流部、
２０1…燃料導入用流路、
２０2…天然ガス導入用流路、
２０3…原料ガス導入用流路、
３０…硫化水素除去装置、
３１1〜３１3…第１脱硫塔、
３６…第２脱硫塔、
３８…硫黄回収器、
５１1，５１2…二酸化炭素回収装置、
５３…フィッシャ・トロプシュ（ＦＴ）反応系。
【図１】
0004533515.tif 000003
【図２】
0004533515.tif 000004